(57)【要約】【課題】アンテナを展開させた状態においても、アンテナに加えられる外力による当該アンテナの破損を防止し得るアンテナ装置を実現する。【解決手段】携帯無線機の筐体内に収納及び当該筐体外に展開自在な回転式のアンテナ装置において、当該アンテナ装置を展開した状態で当該アンテナ装置に所定値以上の外力が加えられたとき、アンテナ装置を当該筐体から離脱させるアンテナ離脱手段を設けた。具体的には、筐体に突設された回転軸を挿通して把持し当該筐体に対してアンテナ装置を回動自在に支持する軸受け部と、当該軸受け部の一部を外方に切り欠いて形成した開口部とでアンテナ離脱手段を構成し、アンテナ装置に過大な外力が加えられたとき、当該外力によって開口部の間口が広がることにより、回転軸の把持を開放してアンテナ装置を離脱させるようにした。【選択図】        図５
2004228790.tif 000002
【特許請求の範囲】
【請求項１】
携帯無線機の筐体に回動自在に設けられ、当該筐体内に収納及び当該筐体外に展開自在な回転式のアンテナ装置において、
上記アンテナ装置を上記筐体に対して回動自在に支持するアンテナ支持手段を具え、
上記アンテナ支持手段は、上記アンテナ装置を上記筐体外に展開した状態で当該アンテナ装置に基準値以上の外力が加えられたとき、当該アンテナ装置を当該筐体から離脱させるアンテナ離脱手段を有する
ことを特徴とするアンテナ装置。
【請求項２】
上記アンテナ離脱手段は、
上記筐体に突設された回転軸を挿通して把持し、当該筐体に対して上記アンテナ装置を回動自在に支持する軸受け部と、
上記軸受け部の一部を外方に切り欠いて形成された開口部と
を具え、
上記アンテナ装置に上記基準値以上の外力が加えられたとき、当該外力によって上記開口部の間口が広がることにより、上記軸受け部による上記回転軸の把持を開放して当該アンテナ装置を当該筐体から離脱させる
ことを特徴とする請求項１に記載のアンテナ装置。
【請求項３】
上記開口部に嵌合するキャップ
を具え、
上記アンテナ装置に上記基準値以上の外力が加えられたとき、当該外力によって上記開口部の間口が広がることにより、上記開口部と上記キャップの嵌合が外れる
ことを特徴とする請求項２に記載のアンテナ装置。
【請求項４】
上記キャップは、上記アンテナ装置が離脱した状態において上記回転軸と上記筐体との間に保持される
ことを特徴とする請求項３に記載のアンテナ装置。
【請求項５】
筐体内に収納及び当該筐体外に展開自在な回転式のアンテナ装置を有する携帯無線機において、
上記アンテナ装置は、当該アンテナ装置を上記筐体に対して回動自在に支持するアンテナ支持手段を具え、
上記アンテナ支持手段は、上記アンテナ装置を上記筐体外に展開した状態で当該アンテナ装置に所定値以上の外力が加えられたとき、当該アンテナ装置を当該筐体から離脱させるアンテナ離脱手段を有する
ことを特徴とする携帯無線機。
【請求項６】
上記アンテナ離脱手段は、
上記筐体に突設された回転軸を挿通して把持し、当該筐体に対して上記アンテナ装置を回動自在に支持する軸受け部と、
上記軸受け部の一部を外方に切り欠いて形成された開口部と
を具え、
上記アンテナ装置に上記基準値以上の外力が加えられたとき、当該外力によって上記開口部の間口が広がることにより、上記軸受け部による上記回転軸の把持を開放して当該アンテナ装置を当該筐体から離脱させる
ことを特徴とする請求項５に記載の携帯無線機。
【発明の詳細な説明】
【０００１】
【発明の属する技術分野】
本発明はアンテナ装置及び携帯無線機に関し、例えば携帯電話機に適用して好適なものである。
【０００２】
【従来の技術】
従来携帯電話機において、通話時のアンテナ利得と非通話時の携帯性の両立を図るため、アンテナを携帯電話機本体内へ収納可能にしたものがある。そして、かかる携帯電話機のアンテナ収納方法として、アンテナの根元部に回動機構を設け、当該アンテナを起倒自在に構成した回転式アンテナが提案されている（例えば、特許文献１参照）。
【０００３】
【特許文献１】
特開平８−２９８４０６号公報
【０００４】
【発明が解決しようとする課題】
ここで、かかる回転式アンテナにおいては、アンテナを展開させた状態で当該アンテナに対して横方向などから過大な外力が加えられると、アンテナ自体やアンテナの回動機構、あるいは携帯電話機の筐体が破損することがあるという問題があった。
【０００５】
本発明は以上の点を考慮してなされたもので、展開したアンテナに加えられる外力による当該アンテナや筐体の破損を防止し得るアンテナ装置及び携帯無線機を提案しようとするものである。
【０００６】
【課題を解決するための手段】
かかる課題を解決するため本発明においては、携帯無線機の筐体に回動自在に設けられ、当該筐体内に収納及び当該筐体外に展開自在な回転式のアンテナ装置において、アンテナ装置を筐体に対して回動自在に支持するアンテナ支持手段に、当該アンテナ装置を筐体外に展開した状態で当該アンテナ装置に基準値以上の外力が加えられたとき、当該アンテナ装置を当該筐体から離脱させるアンテナ離脱手段を設けるようにした。
【０００７】
そして、筐体に突設された回転軸を挿通して把持し当該筐体に対してアンテナ装置を回動自在に支持する軸受け部と、当該軸受け部の一部を外方に切り欠いて形成した開口部とでアンテナ離脱手段を構成し、アンテナ装置に基準値以上の外力が加えられたとき、当該外力によって開口部の間口が広がることにより、上記回転軸の把持を開放してアンテナ装置を筐体から離脱させるようにした。
【０００８】
【発明の実施の形態】
以下図面について、本発明の一実施の形態を詳述する。
【０００９】
（１）携帯電話機の全体構成
図１において、１は全体として本発明を適用した携帯無線機としての携帯電話機を示し、表示部筐体２と操作部筐体３とが当該操作部筐体３の一端に設けられた筐体回転軸４を介して回動自在に連結されており、この図１に示す開状態から、表示部筐体２と操作部筐体３とが重ね合わされた閉状態（図２）まで自在に回転し得るようになされている。
【００１０】
表示部筐体２の正面には、その中央部分に液晶ディスプレイ等でなる表示部５が設けられるとともに、当該表示部５の上方にはスピーカ６、下方には回転及び押圧操作可能なジョグダイヤル７が設けられている。一方、操作部筐体３には、その中央部分に複数の操作ボタンを有する操作部８が設けられているとともに、当該操作部８の下方にはマイクロフォン９が設けられている。
【００１１】
そしてこの携帯電話機１においては、表示部筐体２と操作部筐体３とが回動自在に連結されていることから、図２に示す閉状態において、表示部筐体２で操作部８（図１）を被覆して保護するとともに誤操作を防止し、また携帯電話機１全体の寸法を小型化して携帯性を向上し得るようになされている。さらにこの携帯電話機１においては、閉状態においても表示部５及びジョグダイヤル７が外部に露出するため、当該閉状態でも表示部５を視認しながらジョグダイヤル７を介して携帯電話機１を操作し得るようになされている。
【００１２】
かかる構成に加えてこの携帯電話機１においては、操作部筐体３の下端に回転式のアンテナ部１０がアンテナ回転軸（図示せず）を介して回動自在に設けられており、通信時には、図１に示すようにアンテナ部１０を回転して起立させることにより、そのアンテナ利得を最大にして良好な通信状態を確保し得るとともに、携帯時には、図２に示すようにアンテナ部１０を逆方向に回転し、操作部筐体３の下端に切り欠いて設けられたアンテナ収納部１１内に当該アンテナ部１０を収納することにより、操作部筐体３からのアンテナ部１０の突出量を最小にして携帯性や耐破損性を向上し得るようになされている。
【００１３】
（２）アンテナ部及びアンテナ収納部
次に、アンテナ部１０及びアンテナ収納部１１の構造を説明する。図３に示すようにアンテナ収納部１１においては、操作部筐体３の下側半体３Ａ内面に、金属円柱でなるアンテナ回転軸１２が突設されている。
【００１４】
そして、アンテナ回転軸１２をアンテナ部１０の一端に穿設された円筒状の軸受け部１０Ａに挿通した後、当該アンテナ部１０を操作部筐体３の下側半体３Ａ及び上側半体３Ｂで挟持することにより、軸受け部１０Ａでアンテナ回転軸１２を把持し、当該アンテナ回転軸１２を中心にしてアンテナ部１０を回動自在に支持するようになされている。
【００１５】
ここで、アンテナ回転軸１２の一端は、弾性を有する金属板でなる給電ばね１４を介して回路基板１３のアンテナ給電点１３Ａに電気的に接続されている。一方、図４（Ａ）に示すように、アンテナ部１０には金属線をらせん状に形成したヘリカルアンテナでなるアンテナ素子１４が内蔵されているとともに、軸受け部１０Ａ内周面には弾性を有する金属板でなる接触子１５が設けられており、アンテナ素子１４の一端が接触子１５に電気的に接続されている。
【００１６】
このためアンテナ回転軸１２を軸受け部１０Ａに挿通すると、当該アンテナ回転軸１２に接触子１５とが接触し、これによりアンテナ素子１４とアンテナ給電点１３Ａ（図３）とが接触子１５、アンテナ回転軸１２及び給電ばね１４を介して電気的に接続され、かくしてアンテナ素子１４を任意の角度に回動しても当該アンテナ素子１４に常に給電し得るようになされている。
【００１７】
かかる構成に加えてこのアンテナ部１０においては、図４（Ｂ）に示すように、アンテナ支持手段及びアンテナ離脱手段としての軸受け部１０Ａの一部が外方（当該軸受け部１０Ａの半径方向）に切り欠かれて開口され、アンテナ離脱手段としての開口部１０Ｂが形成されているとともに、当該開口部１０Ｂにキャップ１６が嵌合されている。
【００１８】
そして、開口部１０Ｂ内面には谷型の嵌合凹部１０Ｃが２個設けられているとともに、キャップ１６における嵌合凹部１０Ｃに対応する位置には山型の嵌合凸部１６Ａが設けられており、嵌合凹部１０Ｃと嵌合凸部１６Ａとが嵌合することにより、開口部１０Ｂとキャップ１６との嵌合力を適切に設定して、当該キャップ１６が容易に脱落しないようになされている。
【００１９】
（３）アンテナ部の離脱及び再装着
上述したように携帯電話機１のアンテナ部１０においては、軸受け部１０Ａの一部が外方に切り欠かれて開口部１０Ｂが形成され、これにキャップ１６が嵌合されている。そして、図５（Ａ）に示すようにアンテナ部１０を起立させた状態において、当該アンテナ部１０をさらに起こすような力（矢印ａ方向）や横方向への無理な力、あるいは携帯電話機１の落下による衝撃等の、通常のアンテナ回転操作を想定して設定された所定の基準値を越える過大な外力がアンテナ部１０に加えられた場合、当該外力によって開口部１０Ｂの間口が広がり、これにより当該開口部１０Ｂとキャップ１６との嵌合が外れるとともに、軸受け部１０Ａによるアンテナ回転軸１２の把持が開放される。
【００２０】
このため、図５（Ｂ）に示すようにアンテナ部１０は携帯電話機１から離脱し、これにより、過大な外力によるアンテナ部１０やアンテナ回転軸１２、操作部筐体３等の破壊を回避することができる。このときキャップ１６は、アンテナ回転軸１２と収納部１１の内周面１１Ａとの間に挟まれた状態にあるため、当該キャップ１６は脱落することがない。
【００２１】
そして、分離したアンテナ部１０を再装着する場合は、図６（Ａ）に示すようにキャップ１６と開口部１０Ｂの向きを合致させた後、アンテナ部１０をアンテナ回転軸１２に向けて押圧するだけで、軸受け部１０Ａがアンテナ回転軸１２を把持するとともにキャップ１６が開口部１０Ｂに嵌合され、これによりアンテナ部１０が携帯電話機１に再装着される（図６（Ｂ））。
【００２２】
ここで、上述したアンテナ部１０の離脱及び再装着に要する力は、嵌合凹部１０Ｃ及び嵌合凸部１６Ａの形状を変えることにより適切に設定することができる。
【００２３】
（４）動作及び効果
以上の構成において、操作部筐体３のアンテナ収納部１１に突設したアンテナ回転軸１２を、アンテナ部１０の一端に穿設した円筒状の軸受け部１０Ａに挿通することにより、当該軸受け部１０Ａを中心としてアンテナ部１０を回動自在に支持するようにした。
【００２４】
そして、軸受け部１０Ａの一部を外方に切り欠いて開口部１０Ｂを形成するとともに、当該開口部１０Ｂにキャップ１６を嵌合するようにした。
【００２５】
このため、通常のアンテナ部１０の起倒操作においてはアンテナ部１０とキャップ１６は一体となって回動するのに対し、当該アンテナ部１０を起立させた状態で当該アンテナ部１０に対して所定の基準値以上の過大な外力が加えられた場合、当該外力によって開口部１０Ｂの間口が広がり、これにより開口部１０Ｂとキャップ１６との嵌合が外れてアンテナ部１０は携帯電話機１から離脱し、かくして過大な外力によるアンテナ部１０やアンテナ回転軸１２、操作部筐体３等の破損を防止することができる。
【００２６】
また、アンテナ部１０から分離したキャップ１６は、脱落することなくアンテナ回転軸１２と収納部１１の内周面１１Ａとの間に挟まれた状態にあるため、ア１テナ部１０の開口部１０Ｂとキャップ１６の向きを合致させ、アンテナ部１０をアンテナ回転軸１２に向けて押圧するだけで、分離したアンテナ部１０を携帯電話機１に容易に再装着することができる。
【００２７】
以上の構成によれば、軸受け部１０Ａを切り欠いて開口部１０Ｂを形成するとともに、当該開口部１０Ｂにキャップ１６を嵌合するようにしたことにより、展開状態のアンテナ部１０に過大な外力が加えられた場合、当該アンテナ部１０が携帯電話機１から離脱し、これによりアンテナ部１０等の破損を防止することができる。
【００２８】
（５）他の実施の形態
なお上述の実施の形態においては、アンテナ部１０の内部にヘリカルアンテナでなるアンテナ素子１４を内蔵するようにしたが、本発明はこれに限らず、基板上にメアンダ状の導体パターンを形成してなるアンテナ素子や金属板を凹凸に形成してなるアンテナ素子等、種々のアンテナ素子を適用することができる。
【００２９】
また上述の実施の形態においては、軸受け部１０Ａの一部を切り欠いて開口部１０Ｂを形成するとともに、当該開口部１０Ｂにキャップ１６を嵌合するようにしたが、本発明はこれに限らず、開口部１０Ｂの間口を適切に設定して軸受け部１０Ａのみで適切な把持力を得られるようにすれば、キャップ１６を省略することもできる。
【００３０】
また上述の実施の形態においては、表示部筐体２と操作部筐体３とが別体で構成された携帯電話機１に本発明を適用した場合について述べたが、本発明はこれに限らず、表示部と操作部とが一つの筐体に設けられた一体型の携帯電話機等、種々の携帯無線機に本発明を適用することができる。
【００３１】
【発明の効果】
上述のように本発明によれば、携帯無線機の筐体に回動自在に設けられ、当該筐体内に収納及び当該筐体外に展開自在な回転式のアンテナ装置において、アンテナ装置を筐体に対して回動自在に支持するアンテナ支持手段に、当該アンテナ装置を筐体外に展開した状態で当該アンテナ装置に過大な外力が加えられたとき当該アンテナ装置を離脱させるアンテナ離脱手段を設けたことにより、外力によるアンテナ装置や筐体の破損を防止することができる。
【図面の簡単な説明】
【図１】本発明による携帯電話機の全体構成を示す略線図である。
【図２】筐体を閉じた状態の携帯電話機を示す略線図である。
【図３】アンテナ部及びアンテナ収納軸の説明に供する略線図である。
【図４】アンテナ部の構成を示す略線図である。
【図５】アンテナ部の離脱を示す略線図である。
【図６】アンテナ部の再装着を示す略線図である。
【符号の説明】
１……携帯電話機、２……表示部筐体、３……操作部筐体、４……筐体回転軸、５……表示部、６……スピーカ、７……ジョグダイヤル、８……操作部、９……マイクロフォン、１０……アンテナ部、１１……アンテナ収納部、１２……アンテナ回転軸、１３……回路基板、１４……アンテナ素子、１５……接触子、１６……キャップ。
【図１】
2004228790.tif 000003
【図２】
2004228790.tif 000004
【図３】
2004228790.tif 000005
【図４】
2004228790.tif 000006
【図５】
2004228790.tif 000007
【図６】
2004228790.tif 000008